(57)【要約】【課題】テレビ電話から音声電話へ切替えを行う場合に通話が途切れることがなく、またテレビ電話終了から音声電話の開始までの時間を短縮することができる無線通信装置および無線通信方法を提供する。【解決手段】ＳＨＤＲモードが設定されている際に、１ｘシステムが待受処理を行う待受状態から圏外状態に遷移すると、以降の受信手段（ＲＸ１）を用いた１ｘシステムの待受処理を中止するとともに、中止状態で、送受信手段（ＲＸ０／ＴＸ）および／または受信手段（ＲＸ１）を用いたＥＶＤＯシステムによる通話から、送受信手段（ＲＸ０／ＴＸ）を用いた１ｘシステムによる通話への切替え指示を検出すると、受信手段（ＲＸ１）を用いて１ｘシステムを検出するシステム検出処理を行う。【選択図】図２
2008113183.tif 000002
【特許請求の範囲】
【請求項１】
第１無線通信システムおよび第２無線通信システムによる情報の送受信が可能な送受信手段と、
前記第１無線通信システムおよび第２無線通信システムによる情報の受信が可能な受信手段と、
少なくとも前記送受信手段および／または前記受信手段を用いた前記第２無線通信システムによる通話中に、所定のタイミングで前記受信手段を前記第２無線通信システムから第１無線通信システムに切り替えて、前記受信手段を用いた前記第１無線通信システムの待受処理を行うモードを設定する設定手段と、
前記送受信手段および／または前記受信手段を用いた前記第２無線通信システムによる通話から、前記送受信手段を用いた前記第１無線通信システムによる通話へ切替え指示する指示手段と、
前記設定手段により前記モードが設定されている際に、前記第１無線通信システムが待受処理を行う待受状態から圏外状態に遷移すると、以降の前記受信手段を用いた前記第１無線通信システムの待受処理を中止するとともに、当該中止状態で前記指示手段による切替え指示を検出すると、前記受信手段を用いて当該第１無線通信システムを検出するシステム検出処理を行う制御手段と、
を有することを特徴とする無線通信装置。
【請求項２】
前記制御手段は、前記システム検出処理により前記第１無線通信システムが検出されると、前記第２無線通信システムによる通話の終話処理を実行し、前記送受信手段を用いた前記第１無線通信システムにより前記第２無線通信システムにより通話していた通話相手に対して発信処理を行うことを特徴とする請求項１に記載の無線通信装置。
【請求項３】
前記制御手段は、前記システム検出処理により前記第１無線通信システムが検出されなかった場合、前記切替え指示に対して切替えができないことを示す応答を出力することを特徴とする請求項１に記載の無線通信装置。
【請求項４】
前記切替えができないことを示す応答を画面表示することを特徴とする請求項１に記載の無線通信装置。
【請求項５】
第１無線通信システムおよび第２無線通信システムによる情報の送受信が可能な送受信手段と、
前記第１無線通信システムおよび第２無線通信システムによる情報の受信が可能な受信手段と、
少なくとも前記送受信手段および前記受信手段を用いた前記第２無線通信システムによる通話中に、所定のタイミングで前記受信手段を前記第２無線通信システムから第１無線通信システムに切り替えて、前記受信手段を用いた前記第１無線通信システムの待受処理を行うモードを設定する設定手段と、
前記送受信手段および前記受信手段を用いた前記第２無線通信システムによる通話から、前記送受信手段を用いた前記第１無線通信システムによる通話へ切替え指示する指示手段と、
前記設定手段により前記モードが設定されている際に、前記第１無線通信システムが待受処理を行う待受状態から圏外状態に遷移すると、以降の前記受信手段を用いた前記第１無線通信システムの待受処理を中止するとともに、当該中止状態で前記指示手段による切替え指示を検出すると、前記送受信手段を用いて前記第２無線通信システムによる通話の終話処理を実行し、前記受信手段を用いて前記第１無線通信システムを検出するシステム検出処理を行う制御手段と、
を有することを特徴とする無線通信装置。
【請求項６】
第１無線通信システムおよび第２無線通信システムによる情報の送受信が可能な送受信手段と、前記第１無線通信システムおよび第２無線通信システムによる情報の受信が可能な受信手段とを用いた無線通信方法であって、
少なくとも前記送受信手段および／または前記受信手段を用いた前記第２無線通信システムによる通話中に、所定のタイミングで前記受信手段を前記第２無線通信システムから第１無線通信システムに切り替えて、前記受信手段を用いた前記第１無線通信システムの待受処理を行うモードが設定されている際に、前記第１無線通信システムが待受処理を行う待受状態から圏外状態に遷移すると、以降の前記受信手段を用いた前記第１無線通信システムの待受処理を中止するとともに、当該中止状態で、前記送受信手段および／または前記受信手段を用いた前記第２無線通信システムによる通話から、前記送受信手段を用いた前記第１無線通信システムによる通話への切替え指示を検出すると、前記受信手段を用いて当該第１無線通信システムを検出するシステム検出処理を行うことを特徴とする無線通信方法。
【請求項７】
第１無線通信システムおよび第２無線通信システムによる情報の送受信が可能な送受信手段と、前記第１無線通信システムおよび第２無線通信システムによる情報の受信が可能な受信手段とを用いた無線通信方法であって、
少なくとも前記送受信手段および前記受信手段を用いた前記第２無線通信システムによる通話中に、所定のタイミングで前記受信手段を前記第２無線通信システムから第１無線通信システムに切り替えて、前記受信手段を用いた前記第１無線通信システムの待受処理を行うモードが設定されている際に、前記第１無線通信システムが待受処理を行う待受状態から圏外状態に遷移すると、以降の前記受信手段を用いた前記第１無線通信システムの待受処理を中止するとともに、当該中止状態で、前記送受信手段および前記受信手段を用いた前記第２無線通信システムによる通話から、前記送受信手段を用いた前記第１無線通信システムによる通話への切替え指示を検出すると、前記送受信手段を用いて前記第２無線通信システムによる通話の終話処理を実行し、前記受信手段を用いて前記第１無線通信システムを検出するシステム検出処理を行うことを特徴とする無線通信方法。
【発明の詳細な説明】
【技術分野】
【０００１】
本発明は、無線通信装置および無線通信方法に関するものである。
【背景技術】
【０００２】
近年、携帯電話等の無線通信装置には、それぞれの規格に応じた複数の方式が存在しており、例えば、日本の携帯電話方式では、ＴＤＭＡ方式、ＣＤＭＡ方式が普及している。
【０００３】
通常、無線通信装置は、何れか１つの規格に対応するように構成されているが、最近の例えば携帯電話方式では、端末の普及に伴って各方式に割当てられている周波数帯が逼迫していることから、マルチバンドへの移行が考えられている。また、安定した高機能のサービスを提供することから、異なる周波数帯間でのハンドオフや、複数の通信システム（例えば、ｃｄｍａ２０００  １ｘ方式と１ｘＥＶＤＯ方式等）で通信を行うマルチバンド化も行われている。
【０００４】
このようなマルチバンドに対応する無線通信装置として、例えばＴＤＭＡ方式とＣＤＭＡ方式とを組み合わせ、プライマリアンテナにＴＤＭＡ方式の送受信部とＣＤＭＡ方式の送信部とを結合し、セカンダリアンテナにＣＤＭＡ方式の受信部を結合した携帯電話端末が知られている（例えば、特許文献１参照）。
【０００５】
また、最近では、あるシステムでの送受信をプライマリアンテナで行うと同時に、他のシステムでの受信をセカンダリアンテナで行うＳＨＤＲ（Ｓｉｍｕｌｔａｎｅｏｕｓ  Ｈｙｂｒｉｄ  Ｄｕａｌ  Ｒｅｃｅｉｖｅｒ）機能を搭載して、プライマリアンテナによる通信のスループットの向上を図ったマルチバンド対応の携帯電話端末も考えられている。
【０００６】
図８は、このようなＳＨＤＲ機能を搭載した携帯電話端末の要部の概略構成を示す機能ブロック図である。
【０００７】
この携帯電話端末は、８００ＭＨｚ帯でのｃｄｍａ２０００方式（以下、８００ＭＨｚ帯と適宜略称する）および２ＧＨｚ帯でのｃｄｍａ２０００方式（以下、２ＧＨｚ帯と適宜略称する）による１ｘの通信システムと、１ｘＥＶＤＯ（以下、単にＥＶＤＯと適宜略称する）の通信システムとを有するとともに、１５７５．４２ＭＨｚ（以下、１．５ＧＨｚ帯と適宜略称する）のＧＰＳ周波数の受信機能を有するもので、変調回路および復調回路を有するベースバンド部１００に接続された送信部（Ｔｘ）１０１、プライマリ受信部（プライマリＲｘ）１０２およびセカンダリ受信部（セカンダリＲｘ）１０３を備えている。
【０００８】
送信部１０１およびプライマリ受信部１０２は、デュープレクサ１０４を介してプライマリアンテナ１０５に接続されて、８００ＭＨｚ帯および２ＧＨｚ帯での送受信が可能となっている。また、セカンダリ受信部１０３は、セカンダリアンテナ１０６に接続されて、プライマリ受信部１０２と独立して８００ＭＨｚ帯、２ＧＨｚ帯および１．５ＧＨｚ帯での受信が可能となっている。
【０００９】
この携帯電話端末では、ＥＶＤＯシステムによる通信においてはダイバシティ方式を採用するとともに、このＥＶＤＯ通信中には、定期的に１ｘ通信における基地局からの着信を通知する報知情報（ページング）を受信して音声着信を監視するようにしており、その動作モードとしてハイブリッドモードとＳＨＤＲ機能によるＳＨＤＲモードとがある。
【００１０】
ハイブリッドモードでは、図９（ａ）に示すように、ＥＶＤＯ通信中にプライマリアンテナ１０５側を定期的に１ｘ通信に切り替えて、ページングを受信するようにしている。なお、このハイブリッドモードでは、セカンダリアンテナ１０６側においても、プライマリアンテナ１０５側と同期して、１ｘ通信によるページングをダイバシティ受信する場合もある。また、ＳＨＤＲモードでは、図９（ｂ）に示すように、プライマリアンテナ１０５側はＥＶＤＯ通信を連続させ、セカンダリアンテナ１０６側を定期的に１ｘ通信に切り替えてページングを受信することにより、音声着信を監視するようにしている。
【００１１】
ここで、ＳＨＤＲモードでは、図９（ｂ）に示したように、プライマリアンテナ１０５側を１ｘ通信に切り替えることなく、ＥＶＤＯ通信を連続させるので、ハイブリッドモードの場合と比較して、ＥＶＤＯ通信のスループットを向上することができる。
【００１２】
しかし、セカンダリアンテナ１０６は、８００ＭＨｚ帯、２ＧＨｚ帯および１．５ＧＨｚ帯の３バンドを受信するため、８００ＭＨｚ帯および２ＧＨｚ帯の２バンドで送受信するプライマリアンテナ１０５と比較して、８００ＭＨｚ帯や２ＧＨｚ帯のアンテナ利得は、一般に低くなっている。例えば、図１０に示すように、プライマリアンテナ１０５の８００ＭＨｚ帯および２ＧＨｚ帯におけるアンテナ利得が、それぞれ−３ｄＢｉおよび０ｄＢｉであるのに対して、セカンダリアンテナ１０６の８００ＭＨｚ帯および２ＧＨｚ帯におけるアンテナ利得は、それぞれ−１０ｄＢｉおよび−３ｄＢｉとなっている。このため、ＳＨＤＲモードでは、基地局からのページングの捕捉能力に関しては、ハイブリッドモードよりも低くなる。
【００１３】
そこで、従来は、図８に示すように、プライマリ受信部１０２あるいはセカンダリ受信部１０３で受信されてベースバンド部１００に入力された実際の１ｘ受信感度と、閾値メモリ１０７に予め格納した１ｘ受信感度の上限閾値および下限閾値とをモード切替え部１０８において比較し、その比較結果に基づいて、ハイブリッドモード中に１ｘ受信感度が上限閾値を超えたらＳＨＤＲモードに切り替え、ＳＨＤＲモード中に１ｘ受信感度が下限閾値以下になったらハイブリッドモードに切り替えるように、ベースバンド部１００、送信部１０１、プライマリ受信部（プライマリＲｘ）１０２およびセカンダリ受信部（セカンダリＲｘ）１０３を制御するようにしている。
【特許文献１】特開２００４−１５１６２号公報
【発明の開示】
【発明が解決しようとする課題】
【００１４】
上述したように、ＳＨＤＲモードでは、ＥＶＤＯシステムによる通信中に１ｘシステムによる音声通信を監視する場合は、ダイバーシティ受信を一旦解除し、１つのＲＦ受信機を１ｘシステムによる音声通信の監視に振り向けることで、ＥＶＤＯシステムによる通信の継続と１ｘシステムによる音声通信の監視の両方を同時に行っている。
【００１５】
しかし、１ｘシステムによる音声通信の監視中に、電波状態が悪くなった場合や、１ｘシステムで通信していた端末装置が、エリアを越えたハンドオフを行ったり、または圏外となった場合は、受信性能、送信の必要性からＥＶＤＯシステムによる通信を中断し、１ｘシステムの処理に２つのアンテナを割り当てる。ただし、ＥＶＤＯシステムによるデータ通信でも、ＩＰＶＴ（テレビ電話：ＩＰ  Ｖｉｄｅｏ  Ｔｅｌｅｐｈｏｎｙ）は例外となる。ＩＰＶＴも一種の電話のため、１ｘシステムによる音声通信の監視は行うが、圏外で２つのアンテナが１ｘシステムに占有されるような状況では、ＩＰＶＴの品質維持を優先させるため、１ｘシステムによる音声通信の監視を停止する。
【００１６】
したがって、テレビ電話（ＥＶＤＯシステムによるパケット通信）中に、１ｘシステムで通信していた端末装置が、一度でも圏外となってしまうと、それ以後の１ｘシステムの電波状態を知ることができない。このため、テレビ電話から音声電話（１ｘシステムによる音声通信）へ切替えを行う場合、テレビ電話の終了に続いて、１ｘシステムを検出して通信の確認を行う必要がある。しかしながら、この方法では、端末装置が依然として圏外のままであれば通話が途切れてしまうので、信頼性に問題がある。また、端末装置が圏内にある場合でも、１ｘシステムを検出することから開始するため、テレビ電話終了から音声電話の開始までに時間がかかるという問題がある。
【００１７】
本発明は、このような問題点に鑑みてなされたものであり、本発明の目的は、テレビ電話から音声電話へ切替えを行う場合に通話が途切れることがなく、またテレビ電話終了から音声電話の開始までの時間を短縮することができる無線通信装置および無線通信方法を提供することにある。
【課題を解決するための手段】
【００１８】
上記目的を達成するため、本発明の無線通信装置は、第１無線通信システムおよび第２無線通信システムによる情報の送受信が可能な送受信手段と、前記第１無線通信システムおよび第２無線通信システムによる情報の受信が可能な受信手段と、少なくとも前記送受信手段および／または前記受信手段を用いた前記第２無線通信システムによる通話中に、所定のタイミングで前記受信手段を前記第２無線通信システムから第１無線通信システムに切り替えて、前記受信手段を用いた前記第１無線通信システムの待受処理を行うモードを設定する設定手段と、前記送受信手段および／または前記受信手段を用いた前記第２無線通信システムによる通話から、前記送受信手段を用いた前記第１無線通信システムによる通話へ切替え指示する指示手段と、前記設定手段により前記モードが設定されている際に、前記第１無線通信システムが待受処理を行う待受状態から圏外状態に遷移すると、以降の前記受信手段を用いた前記第１無線通信システムの待受処理を中止するとともに、当該中止状態で前記指示手段による切替え指示を検出すると、前記受信手段を用いて当該第１無線通信システムを検出するシステム検出処理を行う制御手段とを有することを特徴とする。
【００１９】
前記制御手段は、前記システム検出処理により前記第１無線通信システムが検出されると、前記第２無線通信システムによる通話の終話処理を実行し、前記送受信手段を用いた前記第１無線通信システムにより前記第２無線通信システムにより通話していた通話相手に対して発信処理を行うことが好ましい。また、前記制御手段は、前記システム検出処理により前記第１無線通信システムが検出されなかった場合、前記切替え指示に対して切替えができないことを示す応答を出力することが好ましく、さらに、前記切替えができないことを示す応答を画面表示することが好ましい。
【００２０】
また、本発明の無線通信装置は、第１無線通信システムおよび第２無線通信システムによる情報の送受信が可能な送受信手段と、前記第１無線通信システムおよび第２無線通信システムによる情報の受信が可能な受信手段と、少なくとも前記送受信手段および前記受信手段を用いた前記第２無線通信システムによる通話中に、所定のタイミングで前記受信手段を前記第２無線通信システムから第１無線通信システムに切り替えて、前記受信手段を用いた前記第１無線通信システムの待受処理を行うモードを設定する設定手段と、前記送受信手段および前記受信手段を用いた前記第２無線通信システムによる通話から、前記送受信手段を用いた前記第１無線通信システムによる通話へ切替え指示する指示手段と、前記設定手段により前記モードが設定されている際に、前記第１無線通信システムが待受処理を行う待受状態から圏外状態に遷移すると、以降の前記受信手段を用いた前記第１無線通信システムの待受処理を中止するとともに、当該中止状態で前記指示手段による切替え指示を検出すると、前記送受信手段を用いて前記第２無線通信システムによる通話の終話処理を実行し、前記受信手段を用いて前記第１無線通信システムを検出するシステム検出処理を行う制御手段とを有することを特徴とする。
【００２１】
また、本発明の無線通信方法は、第１無線通信システムおよび第２無線通信システムによる情報の送受信が可能な送受信手段と、前記第１無線通信システムおよび第２無線通信システムによる情報の受信が可能な受信手段とを用いた無線通信方法であって、少なくとも前記送受信手段および／または前記受信手段を用いた前記第２無線通信システムによる通話中に、所定のタイミングで前記受信手段を前記第２無線通信システムから第１無線通信システムに切り替えて、前記受信手段を用いた前記第１無線通信システムの待受処理を行うモードが設定されている際に、前記第１無線通信システムが待受処理を行う待受状態から圏外状態に遷移すると、以降の前記受信手段を用いた前記第１無線通信システムの待受処理を中止するとともに、当該中止状態で、前記送受信手段および／または前記受信手段を用いた前記第２無線通信システムによる通話から、前記送受信手段を用いた前記第１無線通信システムによる通話への切替え指示を検出すると、前記受信手段を用いて当該第１無線通信システムを検出するシステム検出処理を行うことを特徴とする。
【００２２】
また、本発明の無線通信方法は、第１無線通信システムおよび第２無線通信システムによる情報の送受信が可能な送受信手段と、前記第１無線通信システムおよび第２無線通信システムによる情報の受信が可能な受信手段とを用いた無線通信方法であって、少なくとも前記送受信手段および前記受信手段を用いた前記第２無線通信システムによる通話中に、所定のタイミングで前記受信手段を前記第２無線通信システムから第１無線通信システムに切り替えて、前記受信手段を用いた前記第１無線通信システムの待受処理を行うモードが設定されている際に、前記第１無線通信システムが待受処理を行う待受状態から圏外状態に遷移すると、以降の前記受信手段を用いた前記第１無線通信システムの待受処理を中止するとともに、当該中止状態で、前記送受信手段および前記受信手段を用いた前記第２無線通信システムによる通話から、前記送受信手段を用いた前記第１無線通信システムによる通話への切替え指示を検出すると、前記送受信手段を用いて前記第２無線通信システムによる通話の終話処理を実行し、前記受信手段を用いて前記第１無線通信システムを検出するシステム検出処理を行うことを特徴とする。
【発明の効果】
【００２３】
本発明は、第２無線通信システムによる通話中に第１無線通信システムをスキャン（検出）して音声切替え可能状態であることを確認した後に第２無線通信システムによる通話から第１無線通信システムへの通話に切替えを行うので、通話が途切れることがなく、切替えの時間を短縮することができる。
【発明を実施するための最良の形態】
【００２４】
本発明の実施の形態について、図を参照して説明する。図１は、本発明の無線通信装置としての携帯電話端末の概略構成を示す機能ブロック図である。本実施の形態の携帯電話端末は、図８と同様に、８００ＭＨｚ帯および２ＧＨｚ帯によるｃｄｍａ２０００  １ｘの第１無線通信システム（以下、１ｘシステムと適宜略称する）と、１ｘＥＶＤＯの第２無線通信システム（以下、ＥＶＤＯシステムと適宜略称する）とを有するとともに、１．５ＧＨｚ帯のＧＰＳ周波数の受信機能を有するものである。
【００２５】
図１に示す携帯電話端末は、ベースバンド部１と、送信部（ＴＸ）２と、プライマリ受信部（プライマリＲＸ０）３と、セカンダリ受信部（セカンダリＲＸ１）４と、デュープレクサ５と、プライマリアンテナ６と、セカンダリアンテナ７と、制御部（制御手段）８と、モード設定部（設定手段）９と、表示部１０と、入力部（指示手段）１１と、電話機マイク１２と、電話機スピーカ１３を備えている。
【００２６】
図１において、変調回路および復調回路を有するベースバンド部１には、送信部（ＴＸ）２およびプライマリ受信部（プライマリＲＸ０）３と、セカンダリ受信部（セカンダリＲＸ１）４とが接続されている。送信部２およびプライマリ受信部３は、デュープレクサ５を介してプライマリアンテナ６に接続されて、８００ＭＨｚ帯および２ＧＨｚ帯での送受信が可能となっている。また、セカンダリ受信部４は、セカンダリアンテナ７に接続されて、プライマリ受信部３と独立して８００ＭＨｚ帯、２ＧＨｚ帯および１．５ＧＨｚ帯での受信が可能となっている。ここで、送受信手段は、送信部２、プライマリ受信部３、デュープレクサ５およびプライマリアンテナ６を含んで構成され、受信手段は、セカンダリ受信部４およびセカンダリアンテナ７を含んで構成されている。
【００２７】
プライマリアンテナ６およびセカンダリアンテナ７は、例えば図１０に示したアンテナ利得を有しており、８００ＭＨｚ帯および２ＧＨｚ帯のそれぞれのバンドにおけるアンテナ利得は、プライマリアンテナ６の方がセカンダリアンテナ７よりも高くなっている。その結果、セカンダリアンテナ７を含む受信手段による１ｘおよびＥＶＤＯの受信利得は、プライマリアンテナ６を含む送受信手段よりも小さくなっている。
【００２８】
この携帯電話端末は、図８と同様に、ＥＶＤＯシステムにおいてはダイバシティ方式を採用するとともに、動作モードをハイブリッドモードまたはＳＨＤＲモードに切り替えながら、各モードにおいて定期的に１ｘシステムにおける基地局からの着信を通知する報知情報（ページング）を受信して、音声着信を監視するようになっている。なお、図８に記載した閾値メモリおよびその説明は、本発明の内容と直接には関係しないので省略している。
【００２９】
本発明の第１実施の形態は、上述した携帯電話端末において、ＳＨＤＲモードにおいて、ＥＶＤＯシステムによりテレビ電話（ＩＰＶＴ）で通話している際に、１ｘシステムが待受処理を行う待受状態から圏外状態に遷移すると、制御部（制御手段）８が、それ以降の受信手段を用いた１ｘシステムの待受処理を中止するとともに、中止状態において入力部（指示手段）１１から１ｘシステムによる通話への切替え指示を検出すると、受信手段を用いて１ｘシステムへのスキャン（検出）を行うシステム検出処理を行うものである。
【００３０】
図２は、第１実施の形態におけるテレビ電話（ＩＰＶＴ）から音声電話へ切り替える際の送受信手段および受信手段のシステム状態を表す図である。左から右へ時系列に発信側および着信側の送受信手段（ＲＸ０／ＴＸ）および受信手段（ＲＸ１）のシステム状態を表している。発信側および着信側のそれぞれ上半分が送受信手段（ＲＸ０／ＴＸ）のシステム状態を表しており、下半分が受信手段（ＲＸ１）のシステム状態を表している。制御部（制御手段）８は、ＥＶＤＯシステムによりテレビ電話（ＩＰＶＴ）で通話中に、１ｘシステムの電波状態が悪くなったり、１ｘシステムの通信エリアを越えたハンドオフを行ったり、または圏外となって、１ｘの監視に失敗すると、それ以降、受信手段（ＲＸ１）による１ｘシステムの待受処理を中止するが、ユーザから音声切替えの指示（ＥＶＤＯシステムによるテレビ電話から１ｘシステムによる音声電話への切替え指示）があると、送受信手段（ＲＸ０／ＴＸ）を用いてテレビ電話（ＩＰＶＴ）で通話をしつつ、受信手段（ＲＸ１）を用いて、１ｘシステムをスキャン（検出）する。制御部（制御手段）８は、１ｘシステムをスキャン（検出）して音声切替え可能状態であることを確認したならば、テレビ電話（ＩＰＶＴ）の終話処理およびシステムネゴシエーションの処理を行い、送受信手段（ＲＸ０／ＴＸ）を用いて、１ｘシステムにより、テレビ電話で通話していた通話相手に対して発信処理を行う。そして、相手からの応答があった後、１ｘシステムによる音声通話を行う。また、１ｘシステムをスキャン（検出）して音声切替えが不可能状態であるならば、制御部（制御手段）８は、ユーザからの音声切替えの指示に対して切替えができないことを示す応答を出力する。なお、後述するが、システム切替えを行っても上位のアプリケーションを切り替えないで、同一アプリケーションで対応することが好ましい。
【００３１】
図３は、第１実施の形態におけるテレビ電話（ＩＰＶＴ）から音声電話への切替えを説明するシーケンス図である。ダイバシティ受信中にユーザから音声切替えの指示があると、切替え指示をトリガにしてダイバシティ受信を解除して、送受信手段（ＲＸ０／ＴＸ）を用いてテレビ電話（ＩＰＶＴ）で通話を行うとともに、受信手段（ＲＸ１）を用いて１ｘシステムのスキャン（検出）を開始する。１ｘシステムの捕捉に成功した後、ダイバシティ受信に復帰し、送受信手段（ＲＸ０／ＴＸ）により、ＢｙｅメッセージをＳＩＰサーバに送信し、ＥＶＤＯシステムに対しＱｏＳリリース（ＱｏＳ  Ｒｅｌｅａｓｅ）処理およびコネクションリリース（Ｃｏｎｎｅｃｔｉｏｎ  Ｒｅｌｅａｓｅ）処理を行ってテレビ電話（ＩＰＶＴ）の終話を行う。送受信手段（ＲＸ０／ＴＸ）は、ＥＶＤＯシステムの解放が完了した後、ＥＶＤＯシステムに対しシステムネゴシエーション（Ｓｙｓｔｅｍ  Ｎｅｇｏｔｉａｔｉｏｎ）の処理を行って、ＥＶＤＯシステムを待ち受け状態になる。次に、送受信手段（ＲＸ０／ＴＸ）から１ｘシステムに対しコールセットアップ（Ｃａｌｌ  Ｓｅｔｕｐ）信号を送信してテレビ電話の通話相手を呼び出し、通信チャネルを確立して相手からの応答を待つ。そして相手からコールレスポンス（Ｃａｌｌ  Ｒｅｓｐｏｎｓｅ）信号を受信して音声通話が開始される。
【００３２】
図４は、携帯電話端末の表示部の画面遷移を示す図である。（ａ）はテレビ電話（ＩＰＶＴ）で通話しているときの表示部１０の画面を示している。ここでユーザにより「音声」のキーが押されて音声切替えの指示があると、受信手段により１ｘシステムのスキャン（検出）が開始され、システムスキャンの間、（ｂ）に示すように、画面に「Ｐｌｅａｓｅ  ｗａｉｔ  音声通話のご利用頂ける電波状態を確認中です。」の文字が表示される。１ｘシステムの捕捉に成功したならば、テレビ電話終話処理、システムネゴシエーション処理、および１ｘ発信処理を行っている間、（ｃ）に示すように、画面に「Ｃｈａｎｇｉｎｇ．．．ＴＶ電→音声」の文字が表示される。相手から応答があり１ｘシステムによる音声通話が開始されると、（ｄ）に示すように、画面に「通話中」の文字が表示される。また、（ｂ）に示す画面のときに、１ｘシステムを捕捉できないときは、（ｅ）に示すように、画面に、音声切替えができないことを示す応答（「確認ＮＧ  現在の電波環境では音声電話はご利用頂けません。」）を表示してテレビ電話（ＩＰＶＴ）に復帰する。
【００３３】
図５は、ＥＶＤＯを終話して１ｘシステムをサーチする場合におけるテレビ電話（ＩＰＶＴ）から音声電話への切替えを説明する図である。図５に示すように、テレビ電話（ＩＰＶＴ）から音声電話への切替えは、テレビ電話（ＩＰＶＴ）の終話処理を行い、システムネゴシエーションを行った後に、１ｘシステムを検出していたので、依然として圏外にある場合等には１ｘシステムの電波を捕捉できず、テレビ電話に復帰もできず、通話が途切れてしまうことがある。しかし、本発明の第１実施の形態では、１ｘシステムを検出して音声切替え可能状態であることを確認した後に、テレビ電話（ＩＰＶＴ）から音声電話への切替えを行うので、通話が途切れることがない。また、１ｘシステムの電波を捕捉できなかった場合は、ユーザに切替え失敗を通知し、テレビ電話（ＩＰＶＴ）を継続することができる。また、図５の切替えでは、システムネゴシエーションを行った後に、１ｘシステムを検出していたが、本発明の第１実施の形態では、テレビ電話（ＩＰＶＴ）中に既に１ｘシステムを検出しており、システムネゴシエーション後には１ｘシステムの検出を行わないので、テレビ電話終了から音声電話の開始までの時間を短縮することができる。
【００３４】
本発明の第２実施の形態は、上述した携帯電話端末において、ＳＨＤＲモードにおいて、ＥＶＤＯシステムによりテレビ電話（ＩＰＶＴ）で通話している際に、１ｘシステムが待受処理を行う待受状態から圏外状態に遷移すると、制御部（制御手段）８が、それ以降の受信手段を用いた１ｘシステムの待受処理を中止するとともに、中止状態において入力部（指示手段）１１から１ｘシステムによる通話への切替え指示を検出すると、送受信手段を用いて１ｘシステムによる通話の終話処理を実行し、受信手段を用いて１ｘシステムへのスキャン（検出）を行うシステム検出処理を行うものである。
【００３５】
図６は、第２実施の形態におけるテレビ電話（ＩＰＶＴ）から音声電話へ切り替える際の送受信手段および受信手段のシステム状態を表す図である。制御部（制御手段）８は、ＥＶＤＯシステムによりテレビ電話（ＩＰＶＴ）で通話中に、１ｘシステムの電波状態が悪くなったり、１ｘシステムの通信エリアを越えたハンドオフを行ったり、または圏外となって、１ｘの監視に失敗すると、それ以降、受信手段（ＲＸ１）による１ｘシステムの待受処理を中止するが、ユーザから音声切替えの指示があると、送受信手段（ＲＸ０／ＴＸ）を用いてテレビ電話（ＩＰＶＴ）の終話処理およびシステムネゴシエーションの処理を行うとともに、受信手段（ＲＸ１）を用いて１ｘシステムをスキャン（検出）する。制御部（制御手段）８は、その後、送受信手段（ＲＸ０／ＴＸ）を用いて、１ｘシステムにより、テレビ電話で通話していた通話相手に対して発信処理を行い、相手からの応答があった後、１ｘシステムによる音声通話を行う。
【００３６】
図７は、第２実施の形態におけるテレビ電話（ＩＰＶＴ）から音声電話への切替えを説明するシーケンス図である。ダイバシティ受信中にユーザから音声切替えの指示があると、切替え指示をトリガにして、受信手段（ＲＸ１）による１ｘシステムのスキャン（検出）と並行して、送受信手段（ＲＸ０／ＴＸ）により、ＢｙｅメッセージをＳＩＰサーバに送信し、ＥＶＤＯシステムに対しＱｏＳリリース（ＱｏＳ  Ｒｅｌｅａｓｅ）処理およびコネクションリリース（Ｃｏｎｎｅｃｔｉｏｎ  Ｒｅｌｅａｓｅ）処理を行ってテレビ電話（ＩＰＶＴ）の終話を行う。テレビ電話（ＩＰＶＴ）の終話処理を行っている間に受信手段（ＲＸ１）による１ｘシステムの捕捉が完了したならば、受信手段（ＲＸ１）は、１ｘシステムの待ち受け状態になる。送受信手段（ＲＸ０／ＴＸ）は、ＥＶＤＯシステムの解放が完了した後、ＥＶＤＯシステムに対しシステムネゴシエーション（Ｓｙｓｔｅｍ  Ｎｅｇｏｔｉａｔｉｏｎ）の処理を行って、ＥＶＤＯシステムの待ち受け状態になる。次に、送受信手段（ＲＸ０／ＴＸ）から１ｘシステムに対しコールセットアップ（Ｃａｌｌ  Ｓｅｔｕｐ）信号を送信してテレビ電話の通話相手を呼び出し、通信チャネルを確立して相手からの応答を待つ。そして相手からコールレスポンス（Ｃａｌｌ  Ｒｅｓｐｏｎｓｅ）信号を受信して音声通話が開始される。
【００３７】
本発明の第２実施の形態では、テレビ電話（ＩＰＶＴ）の終話処理を開始した時点からシステムネゴシエーションの処理が終了するまでの間、１ｘシステムのスキャン（検出）を行うことができるので、検出時間が長くとれ、多くのチャンネルや他のバンドをスキャン（検出）することができる。また、１ｘシステムの電波を捕捉できる場合は、ユーザから音声切替え指示後、直ちにテレビ電話（ＩＰＶＴ）の終話処理およびシステムネゴシエーションの処理を行うので、第２実施の形態よりも切替え時間を短くすることができる。
【００３８】
また、第２実施の形態では、１ｘシステムの電波の捕捉に失敗した場合は、通話が途切れてしまうが、その場合でも、図５の切替え方法では、テレビ電話（ＩＰＶＴ）の終話処理およびシステムネゴシエーションの処理の後に、１ｘシステムのスキャン（検出）を行うのに対し、第２実施の形態では、テレビ電話（ＩＰＶＴ）の終話処理およびシステムネゴシエーションの処理と並行して１ｘシステムのスキャン（検出）を行うので、失敗判定に要する時間を図５の切替え方法よりも短くすることができる。
【図面の簡単な説明】
【００３９】
【図１】本発明の無線通信装置としての携帯電話端末の概略構成を示す機能ブロック図である。
【図２】第１実施の形態におけるテレビ電話（ＩＰＶＴ）から音声電話へ切り替える際の送受信手段および受信手段のシステム状態を表す図である。
【図３】第１実施の形態におけるテレビ電話（ＩＰＶＴ）から音声電話への切替えを説明するシーケンス図である。
【図４】携帯電話端末の表示部の画面遷移を示す図である。
【図５】テレビ電話（ＩＰＶＴ）から音声電話への切替えを説明する図である。
【図６】第２実施の形態におけるテレビ電話（ＩＰＶＴ）から音声電話へ切り替える際の送受信手段および受信手段のシステム状態を表す図である。
【図７】第２実施の形態におけるテレビ電話（ＩＰＶＴ）から音声電話への切替えを説明するシーケンス図である。
【図８】ＳＨＤＲ機能を搭載した従来の携帯電話端末の概略構成を示す機能ブロック図である。
【図９】ＥＶＤＯ通信におけるハイブリッドモードおよびＳＨＤＲモードを説明するための図である。
【図１０】図８に示すプライマリアンテナおよびセカンダリアンテナの利得を示す図である。
【符号の説明】
【００４０】
１  ベースバンド部
２  送信部
３  プライマリ受信部
４  セカンダリ受信部
５  デュープレクサ
６  プライマリアンテナ
７  セカンダリアンテナ７
８  制御部
９  モード設定部
１０表示部
１１  入力部
１２  マイク
１３  スピーカ
【図１】
2008113183.tif 000003
【図２】
2008113183.tif 000004
【図３】
2008113183.tif 000005
【図４】
2008113183.tif 000006
【図５】
2008113183.tif 000007
【図６】
2008113183.tif 000008
【図７】
2008113183.tif 000009
【図８】
2008113183.tif 000010
【図９】
2008113183.tif 000011
【図１０】
2008113183.tif 000012